(57)【特許請求の範囲】
【請求項１】
紐状物に取り付けられる表札具であって、
一端側と他端側とが開口した中空状の本体と、
一端側の前記開口の縁部から他端側の前記開口の縁部まで連続するよう前記本体に形成された割目である本体割目と、
前記本体内に形成され、前記本体の一端側の前記開口から前記本体の内部を通り前記本体の他端側の前記開口に通った前記紐状物を固定する固定手段と
を備え、
前記固定手段は、前記本体割目を介して前記本体内に挿入された前記紐状物を、前記紐状物の長手方向に対して垂直に嵌め込み可能な嵌込部を有する形状に形成されたベース部材であることを特徴とする表札具。
【請求項２】
請求項１記載の表札具において、
前記ベース部材には、前記ベース部材の外縁部から前記嵌込部まで達する切目が形成され、
前記ベース部材は、少なくとも一部が、前記切目を開く方向に弾性変形可能な弾性材料で構成されていることを特徴とする表札具。
【請求項３】
請求項１〜２の何れか記載の表札具において、
前記本体割目は、筋状に形成された割目である中割目部と、この中割目部の各端部からそれぞれの前記開口の縁部に向かって幅広な形状に形成された割目であるガイド部からなることを特徴とする表札具。
【請求項４】
請求項１〜３の何れか記載の表札具において、
前記本体の外周面上には、前記一端側から前記他端側に向かう本体長方向を軸とする軸周りに略輪状に形成された凸状部が設けられていることを特徴とする表札具。
【請求項５】
請求項４記載の表札具において、
前記凸状部は、前記本体長方向に沿って所定間隔毎に設けられていることを特徴とする表札具。
【発明の詳細な説明】
【技術分野】
【０００１】
本発明は、紐状物に取り付けられる表札具に関する。
【背景技術】
【０００２】
従来より、図５に示すように、電柱に取り付けられる開閉器には、複数の操作綱１０１が備えられている。この操作綱１０１は、開閉器の開閉を操作するものである。そして各操作綱１０１には、各操作綱１０１の用途、すなわち各操作綱１０１が開閉器の開閉のうちいずれの操作に用いられるものか等を表示するための表札具１００が、平成元年頃から取り付けられている。
【０００３】
この表札具１００は、円筒状に形成され、軸方向の一端側と他端側とが開口した筒状の本体からなっている。そして、この本体には、一端から他端に向かって筋状の割目が形成されている。このように形成された表札具１００を操作綱１０１に取り付けるには、割目から操作綱１０１を表札具１００本体の中に差し込み、操作綱１０１が、表札具１００本体の一端側の開口から本体の内部を通り本体の他端側の開口に通る状態となるように取り付ける。
【０００４】
この表札具１００が操作綱１０１に取り付けられると、作業員は、各操作綱１０１の用途を容易に確認することができる。そのため、この表札具１００を用いれば、作業員が開閉器等を誤って操作することを防止できる。
【発明の開示】
【発明が解決しようとする課題】
【０００５】
しかし、従来の表札具１００は、操作綱１０１が本体内に通されていただけであった。そのため、表札具１００は、風などの影響を受けると操作綱１０１の長手方向に沿って上下し、操作綱１０１や電柱との間で摩擦して削られ、その結果、長期間経過すると磨り減って破損してしまう恐れがあった。また、操作綱１０１は、縛った状態で電柱に固定されることがあるが、この縛られた操作綱１０１を解くとき、従来の表札具１００は、操作綱１０１が縛られた部分まですべり落ちてきてしまい、綱を解く作業の邪魔となることがあった。
【０００６】
そこで本発明では、上述した問題点を解決し、紐状物である操作綱に取り付けられても、
電柱との間で摩擦することによって破損したり、縛られた操作綱を解く作業の邪魔にならない表札具を提供することを目的とする。
【課題を解決するための手段】
【０００７】
上述した問題を解決するためになされた発明である請求項１記載の表札具は、紐状物に取り付けられる表札具であって、一端側と他端側とが開口した中空状の本体と、一端側の前記開口の縁部から他端側の前記開口の縁部まで連続するよう前記本体に形成された割目である本体割目と、前記本体内に形成され、前記本体の一端側の前記開口から前記本体の内部を通り前記本体の他端側の前記開口に通った前記紐状物を固定する固定手段とを備え、前記固定手段は、前記本体割目を介して前記本体内に挿入された前記紐状物を、前記紐状物の長手方向に対して垂直に嵌め込み可能な嵌込部を有する形状に形成されたベース部材であることを特徴とする。
【０００８】
この表札具は、操作綱１０１等の紐状物が割目を介して本体内に差し込まれ、固定手段によって操作綱１０１が本体内で固定されると、操作綱１０１に対して固定された状態で取り付けられる。そのため、この表札具は、操作綱１０１に取り付けられた後、風などの影響を受けても、操作綱１０１の長手方向に沿って移動することがない。
【０００９】
従って、この表札具を用いれば、操作綱１０１に取り付けても、電柱との間で摩擦して破損したり、縛られた操作綱１０１を解く作業の邪魔になることを防止することができる。
【００１１】
また、本発明では、固定手段が、本体割目を介して本体内に挿入された紐状物を、紐状物の長手方向に対して垂直に嵌め込み可能な嵌込部を有する形状に形成されたベース部材で形成されている。
【００１２】
そのため、作業員が表札具を紐状物に固定する作業をする場合、紐状物を本体割目に沿って当てがった状態で表札具を紐状物に向かって押し込めば、紐状物が本体割目を介して本体内に差し込まれ、さらに、本体内に差し込まれた紐状物が嵌込部に嵌め込まれるので、作業員は、非常に簡単な操作で、この表札具を紐状物に固定することができる。
【００１３】
次に、請求項２に記載したように、ベース部材の外縁部から嵌込部まで達する切目をベース部材に形成し、少なくとも一部が、切目を開く方向に弾性変形可能な弾性材料でベース部材を構成してもよい。
【００１４】
この請求項２に記載の発明では、紐状物を嵌込部に嵌めこませるため、切目の間に紐状物が押し込まれると、ベース部材が弾性変形して切目が開き、紐状物は、その開いた切目を通じて嵌込部に通される。そして紐状物が嵌込部に達すると、ベース部材の弾性変形によって生じた復元力により、切目が閉じられる。従って、この請求項２記載の表示具を用いると、紐状物が嵌込部に通された後、切目が閉じることによって、紐状物が嵌込部から外れることが防止されるので、本体内で紐状物を確実に固定することができる。
【００１５】
ところで、本体割目を介して紐状物を本体内に挿入するには、紐状物を本体割目に沿って当てた状態とすると本体内に簡単に挿入することができる。
しかし、紐状物を本体割目に沿って当てる作業を作業員１人で行う場合には、片手で表札具を保持した状態で、もう一方の手で紐状物を本体割目に沿って当てる必要があるため、作業が困難である。
【００１６】
そこで、請求項３に記載したように、本体割目は、筋状に形成された割目である中割目部と、この中割目部の各端部からそれぞれの開口の縁部に向かって幅広な形状に形成された割目であるガイド部からなることが好ましい。
【００１７】
これにより、請求項３に記載の発明では、ガイド部に紐状物を当てると紐状物がガイド部に引っ掛かり、その結果各ガイド部に引掛けられた間の紐状物は、本体割目である中割目部に沿って当てがわれる。従って、このガイド部を備えた表札具を用いれば、紐状物を本体割目に沿って当てがう作業を簡単に行うことができるので、紐状物を本体内に簡単に挿入することができる。
【００１８】
ところで、本体の材質によっては、本体が型崩れすると、固定手段による固定が解けて、紐状物が本体から抜け出てしまう恐れがある。
そこで請求項４記載の表札具のように、本体の外周面上には、一端側から他端側に向かう本体長方向を軸とする軸周りに略輪状に形成された凸状部を設けてもよい。
【００１９】
これにより、請求項４記載の発明では、本体が補強され型崩れしないので、固定部による固定が解けて、紐状物が本体から抜け出ることを防止できる。
尚、請求項５に記載したように、凸状部は、本体長方向に沿って所定間隔毎に設けてもよい。このようにすると、所定の一組の凸状部の間に貼ることができる大きさの表札用のシールを本体に貼る場合、凸状部に沿って貼ればよいので、シールを簡単に貼ることができる。また、本発明の表札具は、この凸状部に沿ってシールを貼っておくと、シールの縁部に水がしみこむことを凸状部が防止するので、シールが剥がれることを防止することができる。
【発明を実施するための最良の形態】
【００２０】
以下、本発明を実施するための最良の形態について図面を用いて説明する。
図１は、本実施形態の表札具の説明図で、（ａ）は表札具の正面図、（ｂ）は表札具の背面図、（ｃ）は（ｂ）のＡ−Ａ’断面図である。図２は、本実施形態の表札具の説明図で、（ａ）は表札具の一部を切り取って、切り取った部分を断面で示した斜視図、（ｂ）は表札具内に設けられている固定具が操作綱に対して固定される様子を説明するための模式図である。図３は、本実施形態の表札具に各種シールを貼り付ける様子を説明するための説明図で、（ａ）は表札具の正面図、（ｂ）は表札具の背面図である。
[１．構造]
本実施形態の表札具１は、配電線を架線する電信柱に設置された開閉器を操作するための操作綱１０１（図５参照）に取り付けられ、この操作綱１０１の用途を表示するためのもので、図１（ａ）〜（ｃ）に示すように、円筒形状に形成された中空状の本体１０からなっている。この本体１０は、軸方向の一端側と他端側とが開口し、また、弾性変形可能なポリエチレンで構成されている。
【００２１】
図１（ａ）に示すように、本体１０の外周面上には、本体１０の軸方向（本発明の本体長方向に相当する）の軸周りに輪状の４つの凸状部１０ａ〜１０ｄが形成されており、このうち軸方向の最も一端側より及び他端側よりの凸状部１０ａ、１０ｄは、ガイド部１２ａが形成されている部分を除き、本体１０の各端部の開口１４の縁部１４ａに沿って形成されている。また、本実施形態では、凸状部１０ｂ及び１０ｃは、本体１０の外周面を一端側から他端側に向かって約１：５：１の割合で区切る位置に形成されている。ただし、この凸状部１０ｂ〜１０ｃは、図１（ｂ）に示すように、本体１０の外周面上のうち、後述する本体割目１２の両サイドであって中割目部１２ｂを幅方向の中心とする帯状の部分には形成されていない。
【００２２】
図１（ｂ）に示すように、本体１０の裏面側には、一端側の開口１４の縁部１４ａから他端側の開口１４の縁部１４ａまで筋状の本体割目１２が形成されている。また、この本体割目１２は、筋状に形成された割目である中割目部１２ｂと、この中割目部１２ｂの各端部からそれぞれの開口１４の縁部１４ａに向かって幅広な形状に形成された割目であるガイド部１２ａからなる。
【００２３】
また、本実施形態の表札具１は、図２に示すように、固定手段に相当する固定具３を本体１０内に備えている。この固定具３は、本体１０と同軸状に形成された円盤状のベース部材３０からなり、このベース部材３０は、本体１０と同じ弾性変形可能なポリエチレンで形成されている。そしてこのベース部材３０は、本体１０の軸方向中程に、本体１０に対して同軸状かつ一体的に形成されている。また、このベース部材３０は、円盤中心部分が切り抜かれた形状に形成されており、この切り抜かれた部分を以下「嵌込部３２」と呼ぶ。この嵌込部３２は、長手方向に沿って凹凸がある操作綱１０１のうち細くなった部分の径と略同じ径かあるいはやや小さめの径の円状に形成されている。さらに、このベース部材３０は、本体割目１２に連続して形成され、この本体割目１２（ベース部材３０の外縁部にも相当する）から嵌込部３２まで達する切目３４が形成されている。この切目３４は、本体割目１２及び切目３４が開くとき、本体割目１２が形成された部分における本体１０の接線方向に開くよう、本体１０の径方向に沿って、本体割目１２から嵌込部３２までを最短距離で結ぶ直線形状に形成されている。
【００２４】
本実施形態の表札具１は、本体１０とベース部材３０とが一体に形成され、しかもいずれも弾性変形可能な材料で形成されており、さらに、本体割目１２と切目３４とが連続している。そしてこれら本体割目１２及び切目３４は、操作綱１０１が本体割目１２に押し込まれると本体１０及びベース部材３０が弾性変形することによって、本体割目１２が形成された部分における本体１０の接線方向に開く。一方、本体割目１２及び切目３４は、操作綱１０１が嵌込部３２に嵌ったり表札具１からはずれると、本体１０及びベース部材３０の弾性変形によって生じた復元力により閉じる。
【００２５】
[２．取り付け方]
本実施形態の表札具１の外周面には、図３に示すように、凸状部１０ｂ〜１０ｃで区切られる部分に、操作綱１０１の用途を表示する表札用のシールを添付する。尚、凸状部１０ａ〜１０ｂで区切られる部分には操作対象となる機械を表示するマークが刻印され、凸状部１０ｃ〜１０ｄで区切られる部分には社名等を示す刻印がされている。
【００２６】
そして、シールを添付したら次に、この表札具１を操作綱１０１に取り付ける。
本実施形態の表札具１は、ガイド部１２ａに操作綱１０１を当てると、操作綱１０１はガイド部１２ａに引っ掛かり、各ガイド部１２ａに引っ掛けられた間の操作綱１０１は本体割目１２の中割目部１２ｂに沿って当てがわれる。そして、本体割目１２の中割目部１２ｂに操作綱１０１が当てがわれた状態で、表札具１を操作綱１０１に向かって押し込むと、本体１０とベース部材３０とが弾性変形して、本体割目１２と切目３４とが同時に開くので、その開いた隙間から操作綱１０１を本体１０内に挿入すると、操作綱１０１は切目３４を通って嵌込部３２に嵌め込まれる。また、このとき、本体割目１２及び切目３４が、本体割目１２が形成された部分における本体１０の接線方向に開くので、操作綱１０１は、最短距離を移動して嵌込部３２に嵌め込まれる。そして、操作綱１０１が嵌込部３２に嵌め込まれると、本体割目１２及び切目３４は、弾性変形によって生じた復元力によって同時に閉じる。そして、操作綱１０１は、本体１０から抜けないように嵌込部３２に嵌め込まれて固定される。するとこの表札具１は、操作綱１０１が、本体１０の一端側の開口１４から本体１０の内部を通り本体１０の他端側の開口１４に通った状態で、操作綱１０１に対し固定される。
[３．本実施形態に係る表札具の特徴]
この表札具１は、操作綱１０１が本体割目１２を介して本体１０内に差し込まれ、固定具３によって操作綱１０１が本体１０内で固定されると、操作綱１０１に対して固定された状態で取り付けられる。そのため、この表札具１は、操作綱１０１に取り付けられた後、風などの影響を受けても、操作綱１０１の長手方向に沿って移動することがない。
【００２７】
従って、この表札具１を用いれば、操作綱１０１に取り付けても、電柱との間で摩擦して破損したり、縛られた操作綱１０１を解く作業の邪魔になることを防止することができる。
【００２８】
ところで、固定具３は、操作綱１０１を固定できればどのような形状のものでもよい。
また、操作綱１０１は、本体割目１２を介して本体１０内に差し込まれる場合、その長手方向に対して垂直に本体１０内に差し込まれる。
【００２９】
そこで、本実施形態に記載したように、固定具３は、本体割目１２を介して本体１０内に挿入された操作綱１０１を、操作綱１０１の長手方向に対して垂直に嵌め込み可能な嵌込部３２を有する形状に形成されたベース部材３０で形成した。すなわち、ベース部材３０は、本体１０の軸方向に対して同軸状（垂直）に形成されている。
【００３０】
このように構成された表札具１は、作業員が表札具１を操作綱１０１に固定する作業をする場合、操作綱１０１を本体割目１２に沿って当てがった状態で表札具１を操作綱１０１に向かって押し込めば、操作綱１０１が本体割目１２を介して本体１０内に差し込まれ、さらに、本体１０内に差し込まれた操作綱１０１が、その長手方向に対して垂直に嵌込部３２に嵌め込まれるので、作業員は、非常に簡単な操作で、この表札具１を操作綱１０１に固定することができる。
【００３１】
次に、本実施形態では、ベース部材３０は、本体割目１２（ベース部材３０の外縁部）から嵌込部３２まで達する切目３４が形成され、また、切目３４が開くように、ベース部材３０全体が弾性変形可能な材料で形成されている。
【００３２】
そのため本実施形態では、操作綱１０１を嵌込部３２に嵌めこませるため、切目３４の間に操作綱１０１が押し込まれると、ベース部材３０が弾性変形して切目３４が開き、操作綱１０１は、その開いた切目３４を通じて嵌込部３２に通される。そして操作綱１０１が嵌込部３２に達すると、ベース部材３０の弾性変形によって生じた復元力により、切目３４が閉じられる。従って、本実施形態の表札具１を用いると、操作綱１０１が嵌込部３２に通された後、切目３４が閉じることによって、操作綱１０１が嵌込部３２から外れることが防止されるので、本体１０内で操作綱１０１を確実に固定することができる。
【００３３】
ところで、本体割目１２を介して操作綱１０１を本体１０内に挿入するには、操作綱１０１を本体割目１２に沿って当てた状態とすると本体１０内に簡単に挿入することができる。
【００３４】
しかし、操作綱１０１を本体割目１２に沿って当てる作業を作業員１人で行う場合には、片手で表札具１を保持した状態で、もう一方の手で操作綱１０１を本体割目１２に沿って当てる必要があるため、作業が困難である。
【００３５】
そのため、本実施形態では、本体割目１２を、筋状に形成された割目である中割目部１２ｂと、この中割目部１２ｂの各端部からそれぞれの開口１４の縁部１４ａに向かって幅広な形状に形成された割目であるガイド部１２ａからなる構造とした。
【００３６】
これにより、本実施形態では、ガイド部１２ａに操作綱１０１を当てると操作綱１０１がガイド部１２ａに引っ掛かり、その結果各ガイド部１２ａに引掛けられた間の操作綱１０１は、中割目部１２ｂに沿って当てがわれる。従って、このガイド部１２ａを備えた表札具１を用いれば、操作綱１０１を本体割目１２に沿って当てがう作業を簡単に行うことができるので、操作綱１０１を本体１０内に簡単に挿入することができる。
【００３７】
ところで、本体１０の材質によっては、本体１０が型崩れすると、ベース部材３０の嵌込部３２から外れて、操作綱１０１が本体１０から抜け出てしまう恐れがある。
そこで本実施形態の表札具１のように、本体１０の外周面上には、本体１０の軸方向を軸とする軸周りに略輪状に形成された凸状部１０ａ〜１０ｄを備えている。
【００３８】
これにより、本実施形態の表札具１では、本体１０が補強され型崩れしないので、ベース部材３０の嵌込部３２から外れて、操作綱１０１が本体１０から抜け出ることを防止できる。
【００３９】
尚、本実施形態では、凸状部１０ａ〜１０ｄを軸方向に沿って所定間隔毎に設けているが、図３に示すように、凸状部１０ｂ〜１０ｃに沿ってシールを貼れば、シールを簡単に貼ることができる。また、本実施形態の表札具１は、この凸状部１０ｂ〜１０ｃに沿ってシールを貼っておくと、シールの縁部に水がしみこむことを凸状部１０ｂ〜１０ｃが防止するので、シールが剥がれることを防止することができる。
【００４０】
以上本発明の一実施形態ついて説明したが、本発明はこの実施形態に何等限定されるものではなく、本発明の要旨を逸脱しない範囲において、種々なる態様で実施し得ることは勿論である。
【００４１】
例えば、上記実施形態の表札具１では、操作綱１０１を１箇所で固定しているが、本体１０の軸方向に沿って複数のベース部材３０を設け、操作綱１０１を複数箇所で固定してもよい。
【００４２】
上記実施形態では、操作綱１０１に取り付ける表札具１について記載したが、操作綱１０１に取り付けるもの以外の紐状物に取り付けて用いてもよいことはもちろんである。
上記実施形態では、本体１０の軸方向を軸とする軸周りに略輪状に形成された凸状部１０ａ〜１０ｄが設けられているが、凸状部としては、このような輪状な形状に形成されているものばかりでなく、螺旋状に形成されていてもよい。
【００４３】
上記実施形態では、本体１０全体を弾性変形可能な材料であるポリエチレンで構成したが、本体割目１２が開く方向に弾性変形可能であれば、本体１０の一部だけを弾性変形可能な材料で構成してもよい。具体的には、本体割目１２の周囲の本体１０のみを弾性変形可能な材料で構成してもよい。
【００４４】
また、本体割目１２や切目３４は、弾性変形していない場合でも完全に閉じている必要はなく、やや間隔が開けられていても良い。
本体割目１２は、上記実施形態では、本体１０の軸方向に沿って一端から他端にかけて筋状に形成されているが、必ずしも直線状でなくてもよく、曲線状あるいは螺旋状に形成されていてもよい。
【００４５】
嵌込部３２は、操作綱１０１を嵌め込ませたときに、ベース部材３０により操作綱１０１が拘束される形状に形成されていれば、操作綱１０１の長手方向に表札具１が移動しないので、上述した円形状だけでなく、どのような形状に形成されていてもよい。また、操作綱１０１に凹凸がある場合、嵌込部３２が凸部よりも小さく、凹部に嵌込可能な大きさに形成されていれば、操作綱１０１の凹部を嵌込部３２に嵌め込ませることによって操作綱１０１の長手方向に表札具１が移動しないように表札具１を操作綱１０１に取り付けることができるので、そのような大きさに形成してもよい。このように、嵌込部３２の形状は、操作綱１０１を嵌め込んだときに、操作綱１０１の長手方向に表札具１が移動しないように表札具１を操作綱１０１に取り付けることができる形状あるいは大きさであれば、どのような大きさあるいは形状でもよい。
【００４６】
また、図４（ａ）や図４（ｂ）に示すように、嵌込部３２は、楕円形状に形成されていてもよい。また、嵌込部３２は、平面視の形状が、図４（ｃ）（ｄ）（ｆ）に示すように、山形形状でもよく、図４（ｅ）に示すように、嵌込部３２の中心に向かって突起部３６が形成された形状でもよい。またベース部材３０は、図４（ｄ）のように、ベース部材３０が本体１０に取り付けられる部分から嵌込部３２に向かい、本体１０の軸方向の何れか一方側に斜めに傾斜する形状に形成されていてもよい。このようにすると表札具１が操作綱１０１の長手方向にずれようとしても、嵌込部３２を象る縁部が爪のように操作綱１０１に食い込むので、表札具１を操作綱１０１に対し確実に固定することができる。また、ベース部材３０は、図４（ｆ）に示すように、嵌込部３２が形成される部分から本体１０に取り付けられる根元部分に向かうにつれて肉厚となる形状に形成されていてもよい。
【図面の簡単な説明】
【００４７】
【図１】本実施形態の表札具の説明図で、（ａ）は表札具の正面図、（ｂ）は表札具の背面図、（ｃ）は（ｂ）のＡ−Ａ’断面図である。
【図２】本実施形態の表札具の説明図で、（ａ）は表札具の一部を切り取って、切り取った部分を断面で示した斜視図、（ｂ）は表札具内に設けられている固定具が操作綱に対して固定される様子を説明するための模式図である。
【図３】本実施形態の表札具に各種シールを貼り付ける様子を説明するための説明図で、（ａ）は表札具の正面図、（ｂ）は表札具の背面図である。
【図４】本実施形態の表札具が有するベース部材の正面図で、ベース部材の様々なバリエーションを示す図である。
【図５】従来の表札具が開閉器の操作綱に取り付けられている様子を示す説明図である。
【符号の説明】
【００４８】
１…表札具、３…固定具、１０…本体、１０ａ〜１０ｄ…凸状部、１２…本体割目、１２ａ…ガイド部、１２ｂ…中割目部、１４…開口、１４ａ…縁部、３０…ベース部材、３２…嵌込部、３４…切目、３６…突起部、１００…表札具、１０１…操作綱、
【図１】
0004758289.tif 000002
【図２】
0004758289.tif 000003
【図３】
0004758289.tif 000004
【図４】
0004758289.tif 000005
【図５】
0004758289.tif 000006